(57)【要約】【課題】体不自由な方にとって使用の利便性が向上し、椅子の座当部は昇降自在であり、椅子の進退を手で制御可能であり、且つ椅子の走行速度を制限可能であり、安全性が向上すること。【解決手段】座当部と、前記座当部を支持する椅子支持枠と、を有し、前記椅子支持枠は、中央にある主軸ロッドの下端から外側へ延長した車台枠の外端に近接する箇所の下面にローラが複数に設けてある補助ホイール脱着可能な椅子であって、前記椅子支持枠から互いに対称する延長ロッドが二つ設けてあり、快速脱着装置により、前記二つ延長ロッドに補助ホイールをそれぞれ快速に脱着可能であること。【選択図】図１
0003136033.tif 000002
【実用新案登録請求の範囲】
【請求項１】
主に、座当部と、前記座当部を支持する椅子支持枠と、を有し、前記椅子支持枠は、中央にある主軸ロッドの下端から外側へ延長した車台枠の外端に近接する箇所の下面にローラが複数に設けてある補助ホイール脱着可能な椅子であって、
前記椅子支持枠から互いに対称する延長ロッドが二つ設けてあり、快速脱着装置により、前記二つ延長ロッドに補助ホイールをそれぞれ快速に脱着可能であることを特徴とする、
補助ホイール脱着可能な椅子。
【請求項２】
前記椅子支持枠の中央にある主軸ロッドの両側には上へ斜めに延長した延長ロッドが設けてあり、快速脱着装置により、前記二つ延長ロッドに補助ホイールをそれぞれ快速に脱着可能であることを特徴とする、請求項１に記載の補助ホイール脱着可能な椅子。
【請求項３】
前記補助ホイールにはブレーキ装置が設けてあることを特徴とする、請求項１に記載の補助ホイール脱着可能な椅子。
【考案の詳細な説明】
【技術分野】
【０００１】
本考案は、補助ホイール脱着可能な椅子に係り、特に、体不自由な方が利用可能であり、主に、椅子支持枠に設けられた延長ロッドに補助ホイールを脱着可能な椅子に関するものである。
【背景技術】
【０００２】
「バリアフリーな環境」というのは、生活環境における有形および無形な障碍を排除することにより、体不自由な方でも一般の国民と同じように活動可能な環境であり、すなわち、建築の改善と、施設の充実と、国民態度の変更となどにより、体不自由な方に自在に生活可能な環境である。目下、国民は体不自由な方の教養および福祉を関心するが、体不自由な方の心身特質および特殊なニーズをよく分からないので、体不自由な方は、日常生活の学習、仕事、レジャーなどをするときに、何時でも何処でも自由自在に活動不能である。しかし、車椅子用坂道の建設はこのような障碍を排除する大きな一歩であり、すなわち、車椅子用坂道の建設により、車椅子を使用する体不自由な方は、バリアフリーな環境において、自由自在に活動することが可能になると共に、就職も容易になる。
【考案の開示】
【考案が解決しようとする課題】
【０００３】
本考案の主な目的は、体不自由な方が事務所で仕事をするか、外出するかにも係らず、補助ホイールを快速に脱着することにより、同じ椅子を座って両方をすることができる補助ホイール脱着可能な椅子を提供することにある。
【課題を解決するための手段】
【０００４】
上記目的を達成するためになされた本願の第１考案は、主に、座当部と、前記座当部を支持する椅子支持枠と、を有し、前記椅子支持枠は、中央にある主軸ロッドの下端から外側へ延長した車台枠の外端に近接する箇所の下面にローラが複数に設けてある補助ホイール脱着可能な椅子であって、前記椅子支持枠から互いに対称する延長ロッドが二つ設けてあり、快速脱着装置により、前記二つ延長ロッドに補助ホイールをそれぞれ快速に脱着可能であることを特徴とする補助ホイール脱着可能な椅子であることを要旨としている。
【０００５】
本願の第２考案では、前記椅子支持枠の中央にある主軸ロッドの両側には上へ斜めに延長した延長ロッドが設けてあり、快速脱着装置により、前記二つ延長ロッドに補助ホイールをそれぞれ快速に脱着可能であることを特徴とする、前記第１考案に記載の補助ホイール脱着可能な椅子であることを要旨としている。
【０００６】
本願の第３考案では、前記補助ホイールにはブレーキ装置が設けてあることを特徴とする、前記第１考案に記載の補助ホイール脱着可能な椅子であることを要旨としている。
【考案の効果】
【０００７】
本考案の補助ホイール脱着可能な椅子によれば、次のような効果がある。
（イ）本考案は、ＯＡ椅子として使用できると共に、椅子支持枠や主軸ロッドに設けられた延長ロッドに補助ホイールを組付けることにより、車椅子として使用することもできるので、体不自由な方にとって使用の利便性が向上する。
【０００８】
（ロ）椅子支持枠や主軸ロッドに設けられた延長ロッドに、補助ホイールを快速に脱着可能であるので、事務所で仕事をするときには、補助ホイールを取り外してＯＡ椅子として使用することができ、外出の時には、補助ホイールを組み付けて車椅子として使用することができ、そして椅子の座当部は昇降自在である。
【０００９】
（ハ）補助ホイールの外側にはハンドホイールが設けてあるので、車椅子として使用するときには、椅子の進退を手で制御可能である。
【００１０】
（二）補助ホイールにブレーキ装置が設けてあるので、本考案の椅子を車椅子として使用するときに、椅子の走行速度を制限可能であり、安全性が向上する。
【考案を実施するための最良の形態】
【００１１】
以下、添付図面を参照して本考案の好適な実施の形態を詳細に説明する。
【００１２】
まず、図１を参照する。図１は本考案の補助ホイール脱着可能な椅子の分解状態の正面図である。本考案の補助ホイール脱着可能な椅子１は、主に、座当部１１と、前記座当部１１を支持する椅子支持枠１２と、を有し、前記椅子支持枠１２は、中央にある主軸ロッド１２１から外側へ延長した車台枠１２２の外端に近接する箇所の下面にローラ１２３が複数に設けてあり、前記複数のローラ１２３により椅子１が移動自在になる。
【００１３】
本考案の実施例１では、前記椅子支持枠１２から互いに対称する延長ロッド１２４が二つ設けてあり、前記二つの延長ロッド１２４に補助ホイール１２６を組付可能である。なお、本考案の実施例２では、前記椅子支持枠１２の中央にある主軸ロッド１２１の適当な箇所の両側から上へ斜めに延長した延長ロッド１２４が設けてあり、快速脱着装置１２５により、前記二つ延長ロッド１２４の末端に補助ホイール１２６をそれぞれ快速に脱着可能である。
【００１４】
また、図２を参照する。図２は本考案の補助ホイール脱着可能な椅子の組合状態の正面図である。本考案の組付方法は、椅子１をＯＡ椅子とする場合には、底部にローラ１２３が複数に設けてあり、椅子１は、座当部１１と、前記座当部１１を支持する椅子支持枠１２と、から構成され、前記座当部１１の両側に肘当１３を設けてもよく、前記座当部１１の下面に主軸ロッド１２１が組み付けてあり、主軸ロッド１２１の下端から外側へ延長した車台枠１２２の外端に近接する箇所の下面にローラ１２３が複数に設けてあり、前記複数のローラ１２３により椅子１がＯＡ椅子になって事務所内に移動自在になり、また、事務所から出ようとする場合には、前記椅子支持枠１２の中央にある主軸ロッド１２１の適当な箇所の両側には上へ斜めに延長した延長ロッド１２４が設けてあり、快速脱着装置１２５により、前記二つ延長ロッド１２４の末端に補助ホイール１２６をそれぞれ快速に組み付けると、本考案の椅子1が車椅子として使用することができ、且つ補助ホイール１２６の移動速度を制限するために、補助ホイール１２６のホイール軸にブレーキ装置１２７が組み付けてあり、そして補助ホイール１２６の外側にはハンドホイール１２８が設けてあるので、車椅子として使用するときには、椅子１の進退を手で制御可能である。
【００１５】
本考案の補助ホイール脱着可能な椅子は、ユーザの使用状況を見て変化することができ、すなわち、体不自由な方が事務所で仕事をする場合には、前記椅子支持枠１２の中央にある主軸ロッド１２１の下端から外側へ延長した車台枠１２２の外端に近接する箇所の下面に設けられる複数のローラ１２３により、事務所内に椅子を移動自在であり、また、図３に示すように、事務所から出ようとする場合には、前記椅子支持枠１２の中央にある主軸ロッド１２１の適当な箇所の両側には上へ斜めに延長した延長ロッド１２４が設けてあり、快速脱着装置１２５により、前記二つ延長ロッド１２４の末端に補助ホイール１２６をそれぞれ快速に組み付けると、本考案の椅子1が車椅子として使用することができ、すなわち、快速脱着装置１２５のボタンを押圧した状態で、延長ロッド１２４の末端に快速脱着装置１２５を嵌め込んだ後、図４と図５に示すように、快速脱着装置１２５のボタンへの押圧を解放すると、補助ホイール１２６が延長ロッド１２４の末端に係合されるようになり、そうすると、本考案の椅子は車椅子として使用することができ、また、補助ホイール１２６の外側に設けられるハンドホイール１２８により、椅子１の進退をユーザの手で制御可能であり、また、補助ホイール１２６のホイール軸に組み付けられたブレーキ装置１２７により、補助ホイール１２６の移動速度を制限することができる。逆に、補助ホイール１２６を取り外そうとする場合には、快速脱着装置１２５のボタンを押圧した状態で、延長ロッド１２４の末端から快速脱着装置１２５を外すと、補助ホイール１２６が延長ロッド１２４の末端から取り外したようになり、そうすると、本考案の椅子１がＯＡ椅子の状態に戻る。
【００１６】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１７】
【図１】本考案の分解状態の正面図である。
【図２】本考案の組合状態の正面図である。
【図３】本考案の快速脱着装置の使用状態を示す概略図1である。
【図４】本考案の快速脱着装置の使用状態を示す概略図２である。
【図５】本考案の快速脱着装置の使用状態を示す概略図３である。
【符号の説明】
【００１８】
１        椅子                      １１      座当部
１２      椅子支持枠                １２１    主軸ロッド
１２２    車台枠                    １２３    ローラ
１２４    延長ロッド                １２５    快速脱着装置
１２６    補助ホール                １２７    ブレーキ装置
１２８    ハンドホイール            １３      肘当
【図１】
0003136033.tif 000003
【図２】
0003136033.tif 000004
【図３】
0003136033.tif 000005
【図４】
0003136033.tif 000006
【図５】
0003136033.tif 000007
【手続補正書】
【提出日】平成19年8月3日(2007.8.3)
【手続補正１】
【補正対象書類名】実用新案登録請求の範囲
【補正対象項目名】全文
【補正方法】変更
【補正の内容】
【実用新案登録請求の範囲】
【請求項１】
主に、座当部と、前記座当部を支持する椅子支持枠と、を有し、前記椅子支持枠は、中央にある主軸ロッドの下端から外側へ延長した車台枠の外端に近接する箇所の下面にローラが複数に設けてある補助ホイール脱着可能な椅子であって、
前記椅子支持枠から互いに対称する延長ロッドが二つ設けてあり、
前記二つ延長ロッドに補助ホイールをそれぞれ脱着可能であることを特徴とする、
補助ホイール脱着可能な椅子。
【請求項２】
前記椅子支持枠の中央にある主軸ロッドの両側には上へ斜めに延長した延長ロッドが設けてあり、前記二つ延長ロッドに補助ホイールをそれぞれ脱着可能であることを特徴とする、請求項１に記載の補助ホイール脱着可能な椅子。
【請求項３】
前記補助ホイールにはブレーキ装置が設けてあることを特徴とする、請求項１に記載の補助ホイール脱着可能な椅子。
【手続補正２】
【補正対象書類名】明細書
【補正対象項目名】０００４
【補正方法】変更
【補正の内容】
【０００４】
上記目的を達成するためになされた本願の第１考案は、主に、座当部と、前記座当部を支持する椅子支持枠と、を有し、前記椅子支持枠は、中央にある主軸ロッドの下端から外側へ延長した車台枠の外端に近接する箇所の下面にローラが複数に設けてある補助ホイール脱着可能な椅子であって、前記椅子支持枠から互いに対称する延長ロッドが二つ設けてあり、前記二つ延長ロッドに補助ホイールをそれぞれ脱着可能であることを特徴とする補助ホイール脱着可能な椅子であることを要旨としている。
【手続補正３】
【補正対象書類名】明細書
【補正対象項目名】０００５
【補正方法】変更
【補正の内容】
【０００５】
本願の第２考案では、前記椅子支持枠の中央にある主軸ロッドの両側には上へ斜めに延長した延長ロッドが設けてあり、前記二つ延長ロッドに補助ホイールをそれぞれ脱着可能であることを特徴とする、前記第１考案に記載の補助ホイール脱着可能な椅子であることを要旨としている。